(57)【要約】【課題】回路基板間に大電流を流すことができる低背の電気コネクタ組立体の提供。【解決手段】電気コネクタ組立体５は、プラグコネクタ１０及びリセプタクルコネクタ１５を具備する。プラグコネクタは、テール部、シュラウド部及び電力コンタクト２０を有するハウジング１１を有する。リセプタクルコネクタは、テール部、シュラウド部及び電力コンタクト２１を有するハウジング１６を有する。プラグ及びリセプタクルコネクタは、両電力コンタクト間を電気接続するために、リセプタクルシュラウド部をプラグシュラウド部に挿入することにより互いに嵌合する。プラグハウジングは、シュラウド部に冷却スロット５０を有する。リセプタクルハウジングは、プラグ及びリセプタクルコネクタが嵌合する際に両シュラウド部を通る冷却空気の循環を強化するようプラグシュラウド部の冷却スロットと整列する冷却スロット５０をリセプタクルシュラウド部に有する。【選択図】図１
2008210805.tif 000002
【特許請求の範囲】
【請求項１】
プラグコネクタ及びリセプタクルコネクタを具備する電気コネクタ組立体であって、前記プラグコネクタはプラグハウジングを有し、該プラグハウジングは、プラグテール部、プラグシュラウド部及び少なくとも１個のプラグ電力コンタクトを有し、前記リセプタクルコネクタはリセプタクルハウジングを有し、該リセプタクルハウジングは、リセプタクルテール部、リセプタクルシュラウド部及び少なくとも１個のリセプタクル電力コンタクトを有し、前記プラグコネクタ及び前記リセプタクルコネクタは、前記リセプタクルシュラウド部を前記プラグシュラウド部に挿入することにより、前記プラグ電力コンタクト及び前記リセプタクル電力コンタクト間を電気的に接続するよう、互いに嵌合するよう構成されている電気コネクタ組立体において、
前記プラグハウジングは、前記プラグシュラウド部に少なくとも１個の冷却スロットを有し、
前記リセプタクルハウジングは、前記プラグコネクタ及び前記リセプタクルコネクタが嵌合する際に前記プラグシュラウド部及び前記リセプタクルシュラウド部を通る冷却空気の循環を強化するために、前記プラグシュラウド部の前記少なくとも１個の冷却スロットと整列する、前記リセプタクルシュラウド部に少なくとも１個の冷却スロットを有することを特徴とする電気コネクタ組立体。
【請求項２】
前記プラグテール部は、少なくとも１個の前記冷却スロットを有し、
前記リセプタクルテール部は、少なくとも１個の前記冷却スロットを有することを特徴とする請求項１記載の電気コネクタ組立体。
【請求項３】
前記プラグコネクタは、少なくとも１個のプラグ信号コンタクトを有し、
前記リセプタクルコネクタは、少なくとも１個のリセプタクル信号コンタクトを有することを特徴とする請求項１記載の電気コネクタ組立体。
【請求項４】
前記プラグハウジングは、前記プラグ電力コンタクトを冷却空気に露出する少なくとも部分的に開放する後面を有することを特徴とする請求項１項記載の電気コネクタ組立体。
【請求項５】
前記プラグハウジングは、前記少なくとも１個のプラグ電力コンタクトを支持すると共に該プラグ電力コンタクトと整列する、スロットが形成された支持機構を有することを特徴とする請求項１記載の電気コネクタ組立体。
【発明の詳細な説明】
【技術分野】
【０００１】
本発明は、印刷回路基板上に実装するための低背の大電流用電力コネクタに関する。
【背景技術】
【０００２】
コンタクトを収容する種々のタイプの電気コネクタが、印刷回路基板上に実装するよう設計されている。これらのコンタクトは、印刷回路基板上の回路配線、印刷回路基板のスルーホールに半田接続する半田テール等の、印刷回路基板上の適当な回路配線に接続するための接続端を有する。電気コネクタの中には、異なる印刷回路基板上の回路間を電気的に接続するのに使用されてきたものがある。これらの電気コネクタには、回路基板間の電力及び信号伝送コネクタが含まれる。
【０００３】
一般に、このようなコネクタは、１個以上の導電性コンタクトを回路基板に実装する誘電性すなわち絶縁性のハウジングを有する。ハウジングは、別の回路基板上に実装された相補的な相手コネクタと嵌合するよう構成されている。ハウジング同士の嵌合はまた、ハウジングに収容されているコンタクト同士を嵌合させる。このように、この構成は、それぞれ雄コネクタ及び雌コネクタと称されることがあるプラグコネクタ及びリセプタクルコネクタ等の、１対のコネクタからなるコネクタ組立体を形成する。
【０００４】
基板実装型コネクタは、基板間で電力及び電気信号の一方又は双方を伝送接続するのに使用することができる。基板対基板の電力コネクタ組立体の場合、コネクタは、印刷回路基板上の電力回路への、又は印刷回路基板上の電力回路からの電力回路網を結合する。電子部品実装で使用される部品の密度が増加し続けるので、電力コネクタは、回路基板及び相補的な相手コネクタ又は他の接続デバイス間、或いは一方の回路基板及び他方の回路基板間に大電流を流すことを要することが多い。接続デバイスに供給される電流は、回路基板上の種々の回路配線に分配される。
【０００５】
代表的な基板実装型電力コネクタは、少なくとも１個の電気コンタクトを収容する。基板実装型電力コネクタは、雄コネクタと称されるプラグコネクタ、及び雌コネクタと称されるリセプタクルコネクタを有する。プラグコネクタ及びリセプタクルコネクタは、プラグ及びリセプタクルのハウジング同士を嵌め合わせることにより嵌合するよう設計され、ハウジング内に収容される電気コンタクト間を電気的に接続する。プラグ及びリセプタクルの嵌合は、確実な信頼性の高い接続を提供しなければならない。
【特許文献１】米国特許出願公開第２００６／２２８９４８号明細書
【発明の開示】
【発明が解決しようとする課題】
【０００６】
電力コネクタは、コネクタにより安全に伝送できる電流量に従って定格が決められる。コネクタを流れる電流は、周囲環境に放散されなければならない熱を発生させる。熱放散が不十分な場合、コネクタに過熱が生じ、この過熱によってコネクタが故障すると共に潜在的に危険な状態になるおそれがある。電気コネクタに流れる電流が高いレベルであるという要求事項により、熱放散はより危機的な状況になりつつある。熱放散は、冷却空気の循環を増大できるようにコネクタの周囲により大きな空間を設けることにより、強化することができる。しかし、電気部品をより小さくして電気部品組立体内に高密度で実装することに対するニーズがある。大電流、高密度実装及び小寸法は、コネクタの冷却をますます困難にする。
【０００７】
回路基板間に大電流を流すことができる低背の電気コネクタ組立体に対するニーズがある。本発明は、この課題を解決するためになされたものである。
【課題を解決するための手段】
【０００８】
本発明の電気コネクタ組立体は、プラグコネクタ及びリセプタクルコネクタを具備する。プラグコネクタはプラグハウジングを有し、プラグハウジングは、プラグテール部、プラグシュラウド部及び少なくとも１個のプラグ電力コンタクトを有する。リセプタクルコネクタはリセプタクルハウジングを有し、リセプタクルハウジングは、リセプタクルテール部、リセプタクルシュラウド部及び少なくとも１個のリセプタクル電力コンタクトを有する。プラグコネクタ及びリセプタクルコネクタは、プラグ電力コンタクト及びリセプタクル電力コンタクト間を電気的に接続するために、リセプタクルシュラウド部をプラグシュラウド部に挿入することにより互いに嵌合するよう構成されている。プラグハウジングは、プラグシュラウド部に少なくとも１個の冷却スロットを有する。リセプタクルハウジングは、プラグコネクタ及びリセプタクルコネクタが嵌合する際にプラグシュラウド部及びリセプタクルシュラウド部を通る冷却空気の循環を強化するために、プラグシュラウド部の少なくとも１個の冷却スロットと整列する、リセプタクルシュラウド部に少なくとも１個の冷却スロットを有する。
【発明を実施するための最良の形態】
【０００９】
以下、添付図面を参照して本発明の実施形態を説明する。
【００１０】
図１ないし図４を参照すると、本発明の電力コネクタ組立体５の一実施形態が図示されている。コネクタ組立体は、プラグ電力コネクタ１０及びリセプタクル電力コネクタ１５を有する。プラグコネクタ１０は、プラグコネクタハウジング１１及びプラグ電力コンタクト２０で形成されている。リセプタクルコネクタ１５は、リセプタクルコネクタハウジング１６及びリセプタクル電力コンタクト２１で形成されている。プラグコネクタハウジング１１及びリセプタクルコネクタハウジング１６は、高強度を有する誘電体プラスチック材料で形成されている。プラグコネクタハウジング１１は、少なくとも１個の冷却スロット５０を有する。リセプタクルコネクタハウジングもまた、少なくとも１個の冷却スロット５０を有する。これらハウジングは、高温液晶ポリマ又は他の適当なコンタクト収容材料で形成されてもよい。
【００１１】
プラグコネクタ１０及びリセプタクルコンタクト１５は、プラグ電力コンタクト２０をリセプタクル電力コンタクト２１に嵌合し接続するよう設計されている。プラグコネクタ１０及びリセプタクルコネクタ１５は、嵌合時に、それぞれ第１回路基板１７及び第２回路基板１８間に電力を接続することができる。第１回路基板１７及び第２回路基板１８は、プラグ電力コンタクト２０及びリセプタクル電力コンタクト２１と電気的通信状態にある印刷回路基板又は同様の電気デバイスである。本実施形態において、第１回路基板１７及び第２回路基板１８は、同一平面内で接続されている。しかし、プラグコネクタ１０及びリセプタクルコネクタ１５のいずれかは、第１回路基板１７及び第２回路基板１８の垂直取付を可能にするハウジング及びコンタクトで構成することができる。本実施形態は、当業界の技術水準の範囲内で垂直接続を可能にする。電力コネクタ組立体用の回路基板に取り付けられる際のプラグコネクタ１０及びリセプタクルコネクタ１５の最大高さは、好適には回路基板の表面から８mm未満である。
【００１２】
図１に見ることができるように、リセプタクルコネクタ１５は、少なくとも部分的に開放する後面２２を有する。この少なくとも部分的に開放する後面２２は、熱放散及び空気循環を可能にするようリセプタクル電力コンタクト２１を露出することができる。このようにして、冷却空気は、ファン又は他の空気移動装置によって開放後面２２を通ってリセプタクルコネクタ１５内に入り込み、すなわち強制され、冷却スロット５０又はプラグコネクタ１０の同様の開放後面（図示せず）を通って外に出ることができる。プラグコネクタ１０も、リセプタクルコネクタ１５の少なくとも部分的に開放する後面２２と同様の構成を有する少なくとも部分的に開放する後面（図示せず）を有し、循環する冷却空気にプラグコネクタ１０のプラグコンタクト２０を露出する。リセプタクルコネクタ１５の少なくとも部分的に開放する後面２２及びプラグコネクタ１０の少なくとも部分的に開放する後面（図示せず）に入り込む冷却空気は、嵌合時においてコネクタ組立体５全体を通して循環することを理解されたい。強制された空気はさらに冷却するのに使用することができるが、冷却スロット５０は、プラグコネクタ１０又はリセプタクルコネクタ１５を向く強制された空気無しで排気するので、プラグコネクタ１０及びリセプタクルコネクタ１５内での熱発生を可能にする。冷却スロット５０並びにプラグコネクタ１０及びリセプタクルコネクタ１５の双方の構造は、空気がプラグコネクタ１０及びリセプタクルコネクタ１５を通りプラグコンタクト２０及びリセプタクルコンタクト２１の周囲を通過し、プラグコンタクト２０及びリセプタクルコンタクト２１の双方並びにハウジングから熱を排出することを可能にする。
【００１３】
別の一実施形態において、回路基板１７及び回路基板１８は、互いに直角に接続される。この実施形態において、プラグコネクタ１０は、前の実施形態で示されるように、回路基板１７に対して直角接続して設けられ、リセプタクルコネクタ１５は、回路基板１８に対して垂直接続するよう変更される。この実施形態において、冷却空気は、プラグコネクタ１０の開放後面（図示せず）内に入り込むことができ、冷却スロット５０を通って出る。というのは、リセプタクルコネクタ１５の変更は、通常、プラグコネクタ１０の開放後面を制限するか、閉鎖するからである。空気の循環はプラグコネクタ１０の後面に対して供給されることが多いので、このことは重要であろう。或いは、プラグコネクタ１０は垂直接続するよう変更され、リセプタクル１５は第１実施形態と同様であってもよい。
【００１４】
図２に示されるように、プラグ電力コネクタ１０は上面５５を有する。プラグコネクタ１０は、プラグテール部３０及びプラグシュラウド部３５を有する。プラグテール部３０は、プラグ電力コンタクト２０のコンプライアントピン（図示せず）を覆う。プラグシュラウド部３５は、プラグ電力コンタクト２０の前側突部を覆う。
【００１５】
冷却スロット５０は、プラグテール部３０及びプラグシュラウド部３５の双方のプラグ電力コネクタ１０の上面５５に設けられている。冷却スロット５０はまた、プラグシュラウド部の下面６５に設けられてもよい。図１に関して説明したように、冷却スロット５０は、プラグ電力コンタクト２０を冷却するために空気の通過を可能にする。
【００１６】
図３に示されるように、リセプタクルコネクタ１５は、リセプタクルテール部４０及びリセプタクルシュラウド部４５を有する。リセプタクルコネクタ１５は、リセプタクルテール部４０及びリセプタクルシュラウド部４５の双方を覆う上面７０を有する。リセプタクルテール部４０は、リセプタクルハウジング１６内に収容されるリセプタクル電力コンタクト（図示せず）のコンプライアントピンを覆う。リセプタクルシュラウド部４５は、リセプタクル電力コンタクト（図示せず）の前側受容突部を覆う。
【００１７】
冷却スロット５０は、リセプタクルテール部４０及びリセプタクルシュラウド部４５の双方のリセプタクルコネクタハウジング１６の上面７０に図示されている。冷却スロット５０はまた、リセプタクルシュラウド部下面（図示せず）に設けられてもよい。図１に関して説明したように、冷却スロット５０は、リセプタクル電力コンタクト２１を冷却するために空気の通過を可能にする。
【００１８】
プラグコネクタ１０及びリセプタクルコネクタ１５のテール部の冷却スロット５０は、それらハウジングのシュラウド部内に延びていないが、テール部に接近して延びるよう変更すなわち延長してもよい。さらに、プラグコネクタ１０及びリセプタクルコネクタ１５のシュラウド部の冷却スロット５０は、それらハウジングのテール部に接近して延びるよう変更してもよい。冷却スロット５０の寸法及び位置は、電流負荷及びコネクタ組立体５に設けられた換気装置により変更してもよいことは明白である。プラグコネクタシュラウド部３５の冷却スロット５０及びリセプタクルコネクタシュラウド部４５の冷却スロット５０は、好適にはコネクタ組立体５の嵌合時に整列するよう配置される。プラグシュラウド部３５及びリセプタクルシュラウド部４５の冷却スロット５０は、上面のみにあってもよいし、シュラウド部の上面および下面の双方にあってもよい。また、冷却スロット５０は、プラグコネクタシュラウド部３５及びリセプタクルコネクタシュラウド部４５から省略してもよい。
【００１９】
図１の非嵌合状態のコネクタ組立体５は、リセプタクルコネクタ１５のタブ９０及びプラグコネクタ１０のガイド開口９５からなる受動ガイドシステム８５と共に図示されている。受動ガイドシステム８５は、リセプタクルコネクタ１５及びプラグコネクタ１０の嵌合を補助する。
【００２０】
図４（Ａ）及び図４（Ｂ）は、リセプタクル嵌合面４１０及びプラグ嵌合面４１５の詳細を示す。プラグ嵌合面４１５は、図２に示されるプラグコネクタ１０の嵌合面の一部の典型例である。リセプタクル嵌合面４１０は、図３に示されるリセプタクルコネクタ１５の嵌合面の一部の典型例である。プラグ嵌合面４１５はプラグ電力コンタクト２０と共に図示され、リセプタクル嵌合面４１０は対応するリセプタクル電力コンタクト２１と共に図示されている。
【００２１】
プラグ嵌合面４１５は、支持リブ４２０と、スロットが形成された支持機構４２３とを有する。支持リブ４２０は、特にプラグコネクタが６個以上のコンタクトを収容する際にプラグコネクタの剛性及び強度を改善し、プラグコネクタが３０個までのコンタクトを収容する際に特に必要である。スロットが形成された支持機構４２３は、電力コンタクト２０を支持し整列するためにハウジング１１のテール部に設けられている。スロットが形成された支持機構４２３は、ハウジング１１のテール部３０の上面４２５に取り付けられている。支持リブ４２０は、前側切欠を有する典型的形状で詳細に一部を切り取って図示されている。支持リブ４２０は、プラグ下壁４２１からプラグハウジング１１のテール部３０のスロットが形成されたブロック機構４２３まで延びている。スロットが形成されたブロック機構４２３は、プラグハウジング１１のコンタクト２０を支持すると共にコンタクト２０と整列する。
【００２２】
リセプタクル嵌合面４１０は、対応するリセプタクルコンタクト２１内にプラグコンタクト２０をガイドするために支持柱４４０を有する形状である。支持柱４４０は、対応するプラグコンタクト２０の案内を補助するよう図示されているように面取りされてもよい。支持柱４４０は、対応する支持リブ４２０を受容するための凹部４３０を有する形状である。図４（Ａ）及び図４（Ｂ）はまた、任意である受動ガイドシステム８５のタブ９０及びガイド開口９５を示す。
【００２３】
プラグ嵌合面４１５は、プラグ上壁４２５に上リブ４３６を有する。プラグ嵌合面４１５はまた、プラグ下壁４２１に下リブ４３７を有する。リセプタクル嵌合面４１０は、上リブ４３６及び下リブ４３７をそれぞれ受容するための上リブ受容スロット４３８及び下リブ受容スロット４３９を有する。上リブ４３６及び下リブ４３７の一方又は双方は、コネクタ組立体の剛性及び整列を改善するために、対応する受容スロットと共に存在してもよい。上リブ４３６及び下リブ４３７は、各プラグコンタクト間で離間しているが、コネクタ組立体の剛性及び整列を改善する任意の方法で離間してもよい。
【００２４】
プラグ電力コンタクト５０の詳細は、図５（Ａ）及び図５（Ｂ）に示されている。プラグコンタクト５００には、本体５０５、コンプライアントピン５１０、及び適当なリセプタクルコンタクトに対して電気的な嵌合面を提供する前側突部５１５が形成されている。コンプライアントピン５１０は、当業界では公知の方法により回路基板との電気的接続を形成するためのものである。プラグコンタクトは、銅・ニッケル・ケイ素合金等の高導電性弾性材料製であってもよい。
【００２５】
リセプタクル電力コンタクト６００の詳細は、図６（Ａ）及び図６（Ｂ）に示されている。リセプタクルコンタクト６００には、本体６０５、コンプライアントピン６１０、及び対応するプラグコンタクトに対して電気的な嵌合面を提供する前側受容突部６１５が形成されている。リセプタクルコンタクトは、銅・ニッケル・ケイ素合金等の高導電性弾性材料製であってもよい。
【００２６】
図７は、プラグ電力コネクタ７０５及びリセプタクル電力コネクタ７１０により形成された本発明の別の実施形態に従った電力コネクタ組立体７００の嵌合状態を示す。プラグコネクタは、プラグテール部７２０に冷却スロット７１５を有する。図７はまた、プラグシュラウド部７３０に形成された冷却スロット７２５を示す。図７に図示されていないのは、プラグシュラウド部７３０内に収容されると共にプラグシュラウド部７３０の冷却スロット７２５と整列するリセプタクルシュラウド部に形成された冷却スロットである。リセプタクルコネクタ７１０は、リセプタクルコネクタテール部７４０に形成された冷却スロット７３５を有する。嵌合状態の電力コネクタ組立体７００は、第１回路基板７４５及び第２回路基板７５０間に電力を接続する。
【００２７】
図８は、プラグコネクタ８０５及びリセプタクルコネクタ８１０を有する非嵌合状態の電力・信号コネクタ組立体８００の追加の典型的実施形態を示す。プラグコネクタ８０５は、リセプタクルコネクタ８１０の対応するリセプタクル電力コンタクト８２１及び少なくとも１個のリセプタクル信号コンタクト（図示せず）のそれぞれに対して電力及び信号の接続を提供する、電力コンタクト８２０及び少なくとも１個のプラグ信号コンタクト９１０を有する。プラグコネクタ８０５は、信号接続部８２５、プラグテール部８３０及びプラグシュラウド部８３５を有する。リセプタクルコネクタ８１０は、信号接続部８４０、リセプタクルテール部８４５及びリセプタクルシュラウド部８５０を有する。
【００２８】
冷却スロット８５５が、プラグコネクタテール部８３０、プラグコネクタシュラウド部８３５、リセプタクルコネクタテール部８４５及びリセプタクルコネクタシュラウド部８５０に図示されている。冷却スロットはまた、プラグ及びリセプタクルの下面（図示せず）に形成されてもよい。冷却スロット８５５の寸法及び位置は、電流負荷及びコネクタ組立体８００に設けられた換気装置により変更してもよいことは明白である。冷却スロット８５５は、プラグコネクタシュラウド部８３５及びリセプタクルコネクタシュラウド部８５０から省略してもよい。プラグコネクタシュラウド部８３５の冷却スロット８５５及びリセプタクルコネクタシュラウド部８５０の冷却スロット８５５が存在する場合、コネクタ組立体８００が嵌合すると整列するように配置される。
【００２９】
図８にさらに見えるように、リセプタクルコネクタ８１０は、少なくとも部分的に開放する後面８２２を有する。この少なくとも部分的に開放する後面８２２は、リセプタクル電力コンタクト８２１を循環冷却空気に露出させることができる。このようにして、冷却空気は、開放後面８２２を通ってリセプタクルコネクタ８１０内に入り込む、すなわち強制され、冷却スロット８５５又はプラグコネクタ８０５の同様の開放後面（図示せず）を通って外に出ることができる。プラグコネクタ８０５はまた、循環冷却空気にプラグコネクタ８０５のプラグコンタクト８２０を露出するために、リセプタクルコネクタ８１０の少なくとも部分的に開放する後面８２２と同様の構造を有する少なくとも部分的に開放する後面（図示せず）を有する。リセプタクルコネクタ８１０の少なくとも部分的に開放する後面８２２及びプラグコネクタ８０５の少なくとも部分的に開放する後面（図示せず）に入り込む冷却空気は、嵌合時においてコネクタ組立体８００全体を通して循環することを理解されたい。
【００３０】
非嵌合状態のコネクタ組立体８００は、受動ガイドシステム８６０を有する。この受動ガイドシステムは、リセプタクルコネクタ８１０のタブ８９０及びプラグコネクタ８０５のガイド開口８９５からなる。受動ガイドシステム８６０は、プラグコネクタ８０５及びリセプタクルコネクタ８１０の整列及び嵌合を補助する。
【００３１】
図９は、プラグ電力・信号コネクタ９００のさらに別の典型的実施形態の詳細を示す。図９に示されるように、冷却スロット９５０は、プラグコネクタ９００の電力接続部９２０に形成されている。冷却スロット９５０は、前に説明したプラグ電力コネクタの実施形態の冷却スロットと同様に形成されている。図９はまた、プラグ電力コンタクト８２０及びプラグ信号コンタクト９１０の位置を示している。プラグ信号コンタクト９１０は、コネクタ９００の信号接続部８２５内に収容されている。コネクタ９００は、コネクタ９００の強度及び剛性を改善するリブ９１５を有する。プラグコネクタ９００はまた、リセプタクルコネクタからの対応するタブを受容するガイド開口８９５を有する。
【００３２】
プラグ電力コンタクト８２０及びリセプタクル電力コンタクト（図示せず）は、上述した電力コネクタ組立体の実施形態で説明したように、プラグ電力コンタクト及びリセプタクル電力コンタクトと同一又は同様である。
【００３３】
図１０は、リセプタクル電力・信号コネクタ１０００の典型的な一実施形態の詳細を示す。図１０に示されるように、リセプタクルコネクタ１０００には、リセプタクルコネクタ１０００の電力接続部１０２０に形成された冷却スロット１０５０が設けられている。リセプタクルコネクタ１０００はまた、コネクタ１０００内のリセプタクル信号コンタクト（図示せず）を収容する信号接続部１０２５を有する。
【００３４】
冷却スロット１０５０は、上述したリセプタクル電力コネクタの実施形態の冷却スロットと同様に形成されている。リセプタクルコネクタ１０００は、プラグコネクタからの対応するリブを受容する上側リブ受容スロット１００５を有する。追加のリブ受容スロットは、対応するプラグコネクタが下リブを有する場合、コネクタ１０００の下面に設けられてもよい。リセプタクルコネクタ１０００は、プラグコネクタの対応するガイド開口に挿入されるタブ１０１０を有する。
【００３５】
リセプタクルコネクタ１０００は、コネクタ内に収容されるリセプタクルコンタクト（図示せず）と嵌合整列状態で対応するプラグ電力コンタクトをガイドする支持柱１０１５を有する。支持柱１０１５は、対応するリセプタクルコンタクトに対してプラグコンタクトの案内を補助するよう図示されているように面取りされてもよい。
【００３６】
電力・信号コネクタ組立体８００は、コネクタ組立体の強度を改善するために電力コネクタ組立体に設けられたように、支持リブ及び対応する支持柱凹部を有してもよい。支持リブは、コンタクト組立体の強度を改善するために４個以上の隣接するコンタクトのグループ間で使用されてもよい。
【００３７】
図９に関して上述したプラグ信号コンタクト１１００の詳細が図１１（Ａ）及び図１１（Ｂ）に示されている。信号コンタクト１１００には、本体１１０５、コンプライアントピン１１１０、及び適当なリセプタクル信号コンタクトに対して電気的な嵌合面を提供する前側突部１１１５が形成されている。コンプライアントピン１１１０は、当業界では公知の方法により回路基板との電気的接続を形成するためのものである。プラグ信号コンタクト１１００は、燐青銅等の導電性弾性材料製であってもよい。
【００３８】
図１０に関して上述したリセプタクル信号コンタクト１２００の拡大詳細が図１２（Ａ）及び図１２（Ｂ）に示されている。リセプタクルコンタクト１２００は、本体１２０５、コンプライアントピン１２１０、及び適当な対応するプラグコンタクトに対して電気的な嵌合面を提供する前側受容突部１２１５が形成されている。リセプタクルコンタクトは、燐青銅等の導電性弾性材料製であってもよい。
【００３９】
図１３は、本発明のさらに別の典型的実施形態に従ったプラグ電力・信号コネクタ１３０５及びリセプタクル電力・信号コネクタ１３１０により形成された電力・信号コネクタ組立体１３００の嵌合状態を示す。プラグコネクタ１３０５は、プラグテール部１３２０に冷却スロット１３１５を有する。図１３はまた、プラグシュラウド部１３３０に形成された冷却スロット１３２５を示す。図１３に図示されていないのは、プラグシュラウド部１３３０内に収容されると共に冷却スロット１３２５と整列するリセプタクルシュラウド部に形成された冷却スロットである。リセプタクルコネクタ１３１０は、リセプタクルコネクタテール部１３４０に形成された冷却スロット１３３５を有する。嵌合状態の電力コネクタ組立体１３００は、第１回路基板１３４５及び第２回路基板１３５０間に電力を接続する。
【００４０】
本発明によれば、嵌合状態のコネクタの整列した冷却スロットは、コネクタに強制的空気冷却を要することなく、コネクタを通して空気を循環させて冷却する。
【図面の簡単な説明】
【００４１】
【図１】本発明の典型的な電力コネクタ組立体の非嵌合状態を示す斜視図である。
【図２】本発明の典型的なプラグ電力コネクタを示す斜視図である。
【図３】本発明の典型的なリセプタクル電力コネクタを示す斜視図である。
【図４】本発明の電力コネクタ組立体を構成するコネクタの嵌合面の一部を示し、（Ａ）リセプタクルの嵌合面の一部を示す斜視図、（Ｂ）プラグの嵌合面の一部を示す斜視図である。
【図５】本発明の典型的なプラグ電力コンタクトを示す斜視図である。
【図６】本発明の典型的なリセプタクル電力コンタクトを示す斜視図である。
【図７】本発明の典型的な電力コネクタ組立体の嵌合状態を示す斜視図である。
【図８】本発明の典型的な電力・信号コネクタ組立体の非嵌合状態を示す斜視図である。
【図９】本発明の典型的なプラグ電力・信号コネクタを示す斜視図である。
【図１０】本発明の典型的なリセプタクル電力・信号コネクタを示す斜視図である。
【図１１】本発明の典型的なプラグ信号コンタクトアレーを示す斜視図である。
【図１２】本発明の典型的なリセプタクル信号コンタクトアレーを示す斜視図である。
【図１３】本発明の典型的な電力・信号コネクタ組立体の嵌合状態を示す斜視図である。
【符号の説明】
【００４２】
５，８００    電気コネクタ組立体
１０，８０５  プラグコネクタ
１１          プラグハウジング
２０，８２０  プラグ電力コンタクト
２２，８２２  後面
３０，８３０  プラグテール部
３５，８３５  プラグシュラウド部
１５，８１０  リセプタクルコネクタ
１６          リセプタクルハウジング
２１，８２１  リセプタクル電力コンタクト
４０，８４５  リセプタクルテール部
４５，８５０  リセプタクルシュラウド部
５０，８５５  冷却スロット
４２３        支持機構
９１０        プラグ信号コンタクト
１２００      リセプタクル信号コンタクト
【図１】
2008210805.tif 000003
【図２】
2008210805.tif 000004
【図３】
2008210805.tif 000005
【図４】
2008210805.tif 000006
【図５】
2008210805.tif 000007
【図６】
2008210805.tif 000008
【図７】
2008210805.tif 000009
【図８】
2008210805.tif 000010
【図９】
2008210805.tif 000011
【図１０】
2008210805.tif 000012
【図１１】
2008210805.tif 000013
【図１２】
2008210805.tif 000014
【図１３】
2008210805.tif 000015